(57)【要約】【課題】  瓦を切断して隅瓦を作る場合に、切断した残りも隅瓦として有効活用できる瓦を提供する。【解決手段】通常の平板瓦と異なり、瓦１０の本体部１１の左右端部にアンダーラップ１２，１３が一例として３５ｍｍ張り出して各々設けられている。このアンダーラップ１２，１３は、横に葺かれる瓦のオーバーラップの下に入り込むものである。また、瓦１０の前端部１４は、通常の平板瓦の前端部と同様の平面状に形成され、瓦１０の後端部１５は、前端部１４と同一形状の平面状に形成されている。さらに、本体部１１の表面上の前端部１４側及び後端部１５側には、各々、当該本体部１１の表面上を流れる雨水を左右に振り分ける突起部１６、突起部１７が対称の位置に設けられている。Ａ−Ａ線で瓦１０を切断すると、隅棟１０５の左側に使用することができる隅瓦を２枚製造でき、廃材を減少できる。【選択図】  図３
2005240497.tif 000002
【特許請求の範囲】
【請求項１】
切断して、屋根の隅棟に葺かれる瓦であって、
当該瓦の本体部を形成する平面視略矩形の本体部と、
当該本体部の左右両端部に各々設けられたアンダーラップと
を備え、
前記瓦の後端部は、瓦の前端部と同一形状に形成されていることを特徴とする瓦。
【請求項２】
切断して、屋根の隅棟に葺かれる瓦であって、
当該瓦の本体部を形成する平面視略矩形の本体部と、
当該本体部の左右両端部に各々設けられたオーバーラップと
を備え、
前記瓦の後端部は、瓦の前端部と同一形状に形成されていることを特徴とする瓦。
【請求項３】
前記本体部の表面上の前端部側及び後端部側には、各々、当該本体部の表面上を流れる雨水を左右に振り分ける突起部が対称の位置に設けられていることを特徴とする請求項１又は２に記載の瓦。
【請求項４】
前記本体部の裏面側の略中央には、屋根の野地板に当接する凸部が形成されていることを特徴とする請求項１乃至３の何れかに記載の瓦。
【請求項５】
前記瓦の裏面には、瓦を切断するための溝が形成されていることを特徴とする請求項１乃至４の何れかに記載の瓦。
【発明の詳細な説明】
【技術分野】
【０００１】
本発明は屋根の隅棟に使用される瓦に関し、詳細には、瓦の前端部及び後端部が同一形状に形成されている瓦に関する。
【背景技術】
【０００２】
従来、屋根に葺かれる瓦の一例としては、和瓦や洋瓦等が知られている。洋瓦の一例としては、図１３に示すような平板瓦２００が知られている。この平板瓦２００は、上端部には上側の瓦の前端部が被さるアンダーラップ２０２が設けられ、左端部には左側の瓦（図示外）のオーバーラップ（図示外）が被さるアンダーラップ２０１が設けられ、右端部には、右側の瓦（図示外）のアンダーラップ（図示外）に被さるオーバーラップ２０３が設けられている。
【０００３】
この平板瓦２００を用いて、寄棟屋根の施工をする時には、隅棟部分では、瓦の突き合わせの関係上、瓦を斜めに切断した隅瓦を使用していた。このとき、隅棟部分では、屋根の勾配と瓦の葺き具合に応じて、隅瓦を隅棟部分に合わせた大きさに切断する必要があった。
【０００４】
しかしながら、施工現場で瓦を切断する場合には、屋根の上で専用工具を用いて瓦の切断加工しなければならず、作業が難しく、また、大量の瓦の廃材が発生する。例えば、屋根の面積を１２０ｍ２とすると、隅瓦の切断による廃材は、４００ｋｇ〜５００ｋｇ発生する。さらに、切断された廃材が屋根から落下するなどの危険があり、また、廃材の埋め立て処分等により、環境的問題が生じる虞があった。
【０００５】
この問題を解決するために、予め所定の大きさに形成された複数種類の隅瓦を用いて隅棟を葺く方法が提案されている（特許文献１参照）。この方法によれば、瓦を施工現場で切断する必要がなくなり、廃材が減少するという効果がある。
【特許文献１】特開２００２−１８８２４６号公報
【発明の開示】
【発明が解決しようとする課題】
【０００６】
しかしながら、図１３に示すような、平板瓦２００を工場で予め斜めに切断して隅瓦を製造すると、アンダーラップ２０２を含む残りの部分が廃材となるという問題点がある。
【０００７】
本発明は、上記課題を解決するためになされたものであり、瓦を切断して隅瓦を作る場合に、切断した残りも隅瓦として有効活用して、廃材を減少できる瓦を提供することを目的とする。
【課題を解決するための手段】
【０００８】
上記課題を解決するため、請求項１に記載の瓦は、切断して、屋根の隅棟に葺かれる瓦であって、当該瓦の本体部を形成する平面視略矩形の本体部と、当該本体部の左右両端部に各々設けられたアンダーラップとを備え、前記瓦の後端部は、瓦の前端部と同一形状に形成されていることを特徴とする。
【０００９】
また、請求項２に係る発明の瓦では、切断して、屋根の隅棟に葺かれる瓦であって、当該瓦の本体部を形成する平面視略矩形の本体部と、当該本体部の左右両端部に各々設けられたオーバーラップとを備え、前記瓦の後端部は、瓦の前端部と同一形状に形成されていることを特徴とする。
【００１０】
また、請求項３に係る発明の瓦では、請求項１又は２に記載の発明の構成に加えて、前記本体部の表面上の前端部側及び後端部側には、各々、当該本体部の表面上を流れる雨水を左右に振り分ける突起部が対称の位置に設けられていることを特徴とする。
【００１１】
また、請求項４に係る発明の隅瓦では、請求項１乃至３の何れかに記載の発明の構成に加えて、前記本体部の裏面側の略中央には、屋根の野地板に当接する凸部が形成されていることを特徴とする。
【００１２】
また、請求項５に係る発明の瓦では、請求項１乃至４のいずれかに記載の発明の構成に加えて、前記瓦の裏面には、瓦を切断するための溝が形成されていることを特徴とする請求項１乃至４の何れかに記載の瓦。
【発明の効果】
【００１３】
請求項１に係る発明の瓦では、本体部の左右両端部に各々アンダーラップが設けられ瓦の後端部は、瓦の前端部と同一形状に形成されているので、瓦を隅瓦用に斜めに切断した場合には、何れの切断片も隅棟用の隅瓦として使用することができる。
【００１４】
また、請求項２に係る発明の瓦では、本体部の左右両端部に各々オーバーラップが設けられ瓦の後端部は、瓦の前端部と同一形状に形成されているので、瓦を隅瓦用に斜めに切断した場合には、何れの切断片も隅棟用の隅瓦として使用することができる。
【００１５】
また、請求項３に係る発明の瓦では、請求項１又は２に記載の発明の効果に加えて、本体部の表面上の前端部側及び後端部側には、各々、本体部の表面上を流れる雨水を左右に振り分ける突起部が対称の位置に設けられているので、瓦を隅瓦用に斜めに切断した場合には、何れの切断片の表面にも雨水を左右に振り分ける突起部が残ることになり、何れの切断片も隅棟の隅瓦として使用することができる。
【００１６】
また、請求項４に係る発明の瓦では、請求項１乃至３の何れかに記載の発明の効果に加えて、  本体部の裏面側の略中央には、屋根の野地板に当接する凸部が形成されているので、瓦を隅瓦用に斜めに切断した場合には、裏面に凸部が残り野地板に当接するので、瓦の高さ調整の作業が不要になる。
【００１７】
また、請求項５に係る発明の瓦では、請求項１乃至４のいずれかに記載の発明の効果に加えて、瓦の裏面には、瓦を切断するための溝が形成されているので、容易に瓦を切断することができる。
【発明を実施するための最良の形態】
【００１８】
本発明の瓦の一実施の形態として、寄せ棟屋根の瓦に本発明の瓦を適用した場合について、図面を参照して説明する。
【００１９】
図１は、寄せ棟屋根を示す平面図である。図１に示すように、寄せ棟屋根１００は、屋根面１０１，１０２，１０３，１０４から構成され、屋根面１０１と屋根面１０２との接合部（突き合わせ部）には、隅棟１０５が形成され、屋根面１０２と屋根面１０３との接合部（突き合わせ部）には、隅棟１０６が形成され、屋根面１０３と屋根面１０４との接合部（突き合わせ部）には、隅棟１０７が形成され、屋根面１０４と屋根面１０１との接合部（突き合わせ部）には、隅棟１０８が形成されている。尚、隅棟上の棟瓦は、図面では省略している。
【００２０】
この寄せ棟屋根１００は、屋根の傾斜が、一例として、「５／１０勾配」、即ち、所謂「５寸勾配」であり、また、使用される平板瓦は、一例として、屋根の面積３．３ｍ２当たり４０枚使用される所謂「４０枚判」である。
【００２１】
次に、図２を参照して、寄せ棟屋根１００の隅棟１０５の瓦の葺き方について説明する。図２は、図１に示す寄せ棟屋根１００の隅棟１０５部分の拡大展開図（屋根を平面に押し潰した状態の図）である。図２に示すように、寄棟屋根１００の隅棟１０５を形成する屋根面１０１の右端部には、軒先から屋根の上流側に向かって、順に、隅瓦Ａ、隅瓦Ｂ、隅瓦Ｃ、隅瓦Ｄ、隅瓦Ｅの順で葺かれている。また、隅棟１０５を形成する屋根面１０２の左端部には、軒先から屋根の上流側に向かって、順に、隅瓦Ａ’、隅瓦Ｂ’、隅瓦Ｃ’、隅瓦Ｄ’、隅瓦Ｅ’の順で葺かれている。これらの隅瓦Ａ〜Ｅ、隅瓦Ａ’〜Ｅは、略矩形の平板瓦を斜めに切断したものであり、その位置と屋根の勾配に合わせて切断する大きさを調整している。
【００２２】
次に、図３乃至図５を参照して、請求項１記載の発明の瓦について説明する。図３及び図４は、請求項１に記載の発明の瓦１０の斜視図であり、図５は、図４に示すＡ−Ａ線に於ける矢視方向断面図である。
【００２３】
図３に示すように、瓦１０は、一例として、縦方向の長さである全長X１が３５０±３ｍｍであり、瓦を敷設した場合に外部に露出する縦方向の働き長さも同寸法である。また、瓦を敷設した場合に外部に露出する横方向の働き幅Ｙ１が３０６±３ｍｍである。従って、瓦１０の略長方形の本体部１１は、縦３５０±３ｍｍであり、横３０６±３ｍｍとなる。
【００２４】
この瓦１０では、図１３に示すような通常の平板瓦と異なり、本体部１１の左右端部にアンダーラップ１２，１３が一例として３５ｍｍ張り出して各々設けられている。このアンダーラップ１２，１３は、横に葺かれる瓦のオーバーラップの下に入り込むものである。
【００２５】
また、瓦１０の前端部１４は、通常の平板瓦の前端部と同様の平面状に形成され、瓦１０の後端部１５は、前端部１４と同一形状の平面状に形成されている。さらに、本体部１１の表面上の前端部１４側及び後端部１５側には、各々、当該本体部１１の表面上を流れる雨水を左右に振り分ける突起部１６、突起部１７が対称の位置に設けられている。従って、瓦１０は、対角線の交点を中心として対称形状である。
【００２６】
ここで、図３に示すＡ−Ａ線で瓦１０を切断すると、隅棟１０５の左側に使用することができる隅瓦が、図６に示すように２枚製造することができる。
【００２７】
また、瓦１０の縦方向の全長X１が２３５±３ｍｍであり、横方向の働き幅Ｙ１が２０５±３ｍｍである中判の場合と、瓦１０の縦方向の全長X１が１２５±３ｍｍであり、横方向の働き幅Ｙ１が１１０±３ｍｍである小判の場合では、図４及び図５に示すように、瓦１０の裏面中央部に凸部１８が凸設されている。これは、瓦１０を切断した場合に、瓦が小さくて野地板の桟に届かない場合でも、図１１に示すように、この凸部１８が野地板に当接して瓦の高さを保つためである。従って、瓦の下に詰め物等を行う作業が不要になり、施工の作業効率を高めることができる。
【００２８】
次に、図７乃至図９を参照して、請求項２記載の発明の瓦について説明する。図７及び図８は、請求項２に記載の発明の瓦３０の斜視図であり、図９は、図７に示すＢ−Ｂ線に於ける矢視方向断面図である。
【００２９】
図７に示すように、瓦３０は、一例として、縦方向の長さである全長X１が３５０±３ｍｍであり、瓦を敷設した場合に外部に露出する縦方向の働き長さも同寸法である。また、瓦を敷設した場合に外部に露出する横方向の働き幅Ｙ１が３０６±３ｍｍである。従って、瓦３０の略長方形の本体部３１は、縦３５０±３ｍｍであり、横３０６±３ｍｍとなる。
【００３０】
この瓦３０では、図１３に示すような通常の平板瓦と異なり、本体部３１の左右端部にオーバーラップ３２，３３が一例として３５ｍｍ各々設けられている。このオーバーラップ３２，３３は、横に葺かれる瓦のアンダーラップの上に被さるものである。
【００３１】
また、瓦３０の前端部３４は、通常の平板瓦の前端部と同様の平面状に形成され、瓦３０の後端部３５は、前端部３４と同一形状の平面状に形成されている。さらに、本体部３１の表面上の前端部３４側及び後端部３５側には、各々、当該本体部３１の表面上を流れる雨水を左右に振り分ける突起部３６、突起部３７が対称の位置に設けられている。従って、瓦３０は、対角線の交点を中心として対称形状である。
【００３２】
ここで、図７に示すＡ−Ａ線で瓦３０を切断すると、隅棟１０５の右側に使用することができる隅瓦が、図１０に示すように２枚製造することができる。
【００３３】
また、瓦３０の縦方向の全長X１が２３５±３ｍｍであり、横方向の働き幅Ｙ１が２０５±３ｍｍである中判の場合と、瓦３０の縦方向の全長X１が１２５±３ｍｍであり、横方向の働き幅Ｙ１が１１０±３ｍｍである小判の場合では、図８及び図９に示すように、瓦３０の裏面中央部に凸部３８が凸設されている。これは、瓦３０を切断した場合に、瓦が小さくて野地板の桟に届かない場合でも、図１１に示すように、この凸部３８が野地板に当接して瓦の高さを保つためである。従って、瓦の下に詰め物等を行う作業が不要になり、施工の作業効率を高めることができる。
【００３４】
尚、図１２に示すように、瓦１０の裏面に対角線上に、瓦を切断し易くする溝２０を設け、さらに、その溝２０と平行に所定間隔開けて瓦を切断し易くする溝２１、２２を設けても良い。このような溝を設ければ、瓦の切断作業が容易になり、瓦の切断の作業効率が向上する。尚、瓦３０についても同様に溝を設けても良い。
【００３５】
以上説明したように、本発明の一実施の形態の瓦１０及び瓦３０によれば、切断した残りも隅瓦として使用することができるので、廃材の発生をさらに減らすことができる。また、瓦の裏面の溝により瓦の切断も容易になり、作業効率を上げることができる。さらに、小さな瓦でも突起部が野地板に当接して支えるので、作業効率を高めることができる。
【００３６】
尚、本発明は上記の実施の形態に限られず各種の変形が可能である。例えば、瓦の大きさは、上記のサイズに限られず、他の大きさの瓦にも適用できる。また、瓦の切断用の溝は、１本でも良いし、２本、５本等の任意の本数を瓦の裏面に設けることができる。さらに、瓦の切断用の溝は、必ずしも対角線の位置でないところに設けても良い。また、本発明は、隅棟上に棟瓦を積むタイプのもの、また、隅棟上に棟瓦を積まないタイプのものの何れにも適用できる。
【産業上の利用可能性】
【００３７】
本発明は、寄棟屋根の隅棟の隅瓦に限られず、方形の屋根、さらに、隅棟のある屋根なら各種の屋根の隅瓦に適用できる。
【図面の簡単な説明】
【００３８】
【図１】図１は、寄せ棟屋根を示す平面図である。
【図２】図２は、図１に示す寄せ棟屋根１００の隅棟１０５部分の拡大展開図である。
【図３】図３は、請求項１に記載の発明の瓦１０の斜視図である。
【図４】図4は、請求項１に記載の発明の瓦１０の斜視図である。
【図５】図５は、図４に示すＡ−Ａ線に於ける矢視方向断面図である。
【図６】図６は瓦１０を切断した状態を示す平面図である。
【図７】図７は、請求項２に記載の発明の瓦３０の斜視図である。
【図８】図８は、請求項２に記載の発明の瓦３０の斜視図である。
【図９】図９は、図７に示すＢ−Ｂ線に於ける矢視方向断面図である。
【図１０】図１０は瓦１０を切断した状態を示す平面図である。
【図１１】図１１は凸部１８により瓦１０が支えられた状態を示す図である。
【図１２】図１２は瓦の裏面の切断用の溝を示す図である。
【図１３】図１３は、従来の平板瓦の平面図である。
【符号の説明】
【００３９】
１０  瓦
１１  本体部
１２  アンダーラップ
１３  アンダーラップ
１４  前端部
１５  後端部
１６  突起部
１７  突起部
１８  凸部
２０  溝
２１  溝
２２  溝
３０  瓦
３１  本体部
３２  オーバーラップ
３３  オーバーラップ
３４  前端部
３５  後端部
３６  突起部
３７  突起部
３８  凸部
１００  寄棟屋根
１００  棟屋根
１０１  屋根面
１０１  屋根面
１０２  屋根面
１０３  屋根面
１０４  屋根面
１０５  隅棟
１０６  隅棟
１０７  隅棟
１０８  隅棟
２００  平板瓦
２０１  アンダーラップ
２０１  平板瓦
２０２  アンダーラップ
２０３  オーバーラップ
Ａ〜Ｅ    隅瓦
Ａ’〜Ｅ’隅瓦
【図１】
2005240497.tif 000003
【図２】
2005240497.tif 000004
【図３】
2005240497.tif 000005
【図４】
2005240497.tif 000006
【図５】
2005240497.tif 000007
【図６】
2005240497.tif 000008
【図７】
2005240497.tif 000009
【図８】
2005240497.tif 000010
【図９】
2005240497.tif 000011
【図１０】
2005240497.tif 000012
【図１１】
2005240497.tif 000013
【図１２】
2005240497.tif 000014
【図１３】
2005240497.tif 000015